(57)【要約】【課題】適応型調光素子を備えた投射型表示装置において、調光範囲及び遮光位置を独立に設定できるようにする。【解決手段】光軸に対して略垂直な方向に延在する回動軸３２ｃを中心として回動可能に構成されたブロック状の遮光体３２を用いて調光を行なう。従来の平板状の遮光板（ルーバ）では、その平面形状のみが遮光に寄与し、側面形状（即ち、厚み方向の形状）は遮光に殆ど寄与しないため、最大遮光量は遮光板の平面形状によって決まってしまう。これに対して、３次元的な形状を有する遮光体では、その平面形状のみならず厚み方向の形状（側面形状）も遮光に寄与するため、この側面形状を適当に設計することで、最大遮光量を１００％とすることも可能となる。【選択図】  図１
2005017501.tif 000002
【特許請求の範囲】
【請求項１】
投射型表示装置の光変調手段を照明するために用いられる照明装置であって、
光源と、上記光源からの射出光の一部を遮光することにより上記射出光の光量を調節する調光手段とを備え、
上記調光手段は、上記射出光の光軸に対して略垂直な方向に延在する回動軸を中心として回動可能に構成されたブロック状の遮光体からなることを特徴とする、照明装置。
【請求項２】
上記遮光体が上記光軸を囲む位置に複数配置されたことを特徴とする、請求項１記載の照明装置。
【請求項３】
上記遮光体は湾曲形状を有し、回動状態においてそれぞれの湾曲部が光軸を挟んで対向するように配置されたことを特徴とする、請求項２記載の照明装置。
【請求項４】
上記調光手段は、上記光軸に対して線対称又は軸対称に遮光を行なうことを特徴とする、請求項２又は３記載の照明装置。
【請求項５】
上記光源から射出された光を複数の光束に分割し、これらの光束を被照明領域において重畳する一対のフライアイレンズを更に備えたことを特徴とする、請求項１〜４のいずれかの項に記載の照明装置。
【請求項６】
調光状態において部分的に遮光された光束が複数存在し、上記調光手段は、これらの部分的に遮光された全ての光束の中心部を同時には遮光しないことを特徴とする、請求項５記載の照明装置。
【請求項７】
上記遮光体が曲面を含む形状とされたことを特徴とする、請求項６記載の照明装置。
【請求項８】
上記調光手段が、部分的に光の透過率が異なる領域を有することを特徴とする、請求項６又は７記載の照明装置。
【請求項９】
上記調光手段が、均一な透過率分布を有する半透明な部材からなることを特徴とする、請求項６又は７記載の照明装置。
【請求項１０】
請求項１〜９のいずれかの項に記載の照明装置と、
上記照明装置から射出される光を変調して映像光を形成する光変調手段と、
上記映像光を投射する投射手段とを備えたことを特徴とする、投射型表示装置。
【請求項１１】
映像を構成する単位時間当たりの映像信号に基づいて上記調光手段を制御する制御信号を決定する制御信号決定手段と、
上記制御信号に基づいて上記調光手段を制御する調光制御手段と、
上記映像信号を上記制御信号に基づいて伸長する映像信号伸長手段とを備えたことを特徴とする、請求項１０記載の投射型表示装置。
【請求項１２】
請求項１１記載の投射型表示装置の駆動方法であって、
映像を構成する１フレームあたりの映像信号に基づいて上記調光手段を制御する制御信号を決定し、上記制御信号に基づいて上記調光手段を制御することにより上記光変調手段を照明する光の光量を調節するとともに、上記映像信号を上記制御信号に基づいて伸張し、この伸張した映像信号を上記光変調手段に供給することによって映像を生成することを特徴とする、投射型表示装置の駆動方法。
【発明の詳細な説明】
【０００１】
【発明の属する技術分野】
本発明は、照明装置とこれを備えた投射型表示装置およびその駆動方法に関し、特に映像表現力に優れた投射型表示装置とそれに用いる照明装置に関するものである。
【０００２】
【従来の技術】
近年、情報機器の発達はめざましく、解像度が高く、低消費電力でかつ薄型の表示装置の要求が高まり、研究開発が進められている。中でも液晶表示装置は液晶分子の配列を電気的に制御して光学的特性を変化させることができ、上記のニーズに対応できる表示装置として期待されている。このような液晶表示装置の一形態として、液晶ライトバルブを用いた光学系から射出される映像を投射レンズを通してスクリーンに拡大投射する投射型表示装置（液晶プロジェクタ）が知られている。
投射型表示装置は光変調手段として液晶ライトバルブを用いたものであるが、投射型表示装置には、液晶ライトバルブの他、デジタルミラーデバイス（Ｄｉｇｉｔａｌ  Ｍｉｒｒｏｒ  Ｄｅｖｉｃｅ，以下、ＤＭＤと略記する）を光変調手段としたものも実用化されている。ところが、この種の従来の投射型表示装置は以下のような問題点を有している。
【０００３】
（１）光学系を構成する様々な光学要素で生じる光漏れや迷光のため、充分なコントラストが得られない。そのため、表示できる階調範囲（ダイナミックレンジ）が狭く、陰極線管（Ｃａｔｈｏｄｅ  Ｒａｙ  Ｔｕｂｅ，  以下、ＣＲＴと略記する）を用いた既存のテレビ受像機に比較すると、映像の品質や迫力の点で劣ってしまう。
（２）各種の映像信号処理により映像の品質向上を図ろうとしても、ダイナミックレンジが固定されているために、充分な効果を発揮することができない。
【０００４】
このような投射型表示装置の問題点に対する解決策、つまりダイナミックレンジを拡張する方法としては、映像信号に応じて光変調手段（ライトバルブ）に入射させる光の量を変化させることが考えられる。それを実現するのに最も簡便な方法は、ランプの光出力強度を変化させることである。投射型表示装置において、ランプの出力光の制御を行なう方法が特許文献１に開示されている。
【０００５】
【特許文献１】
特開平５−６６５０１号公報
【０００６】
【発明が解決しようとする課題】
しかしながら、投射型表示装置に用いるランプとしては高圧水銀ランプが現在主流となっているが、高圧水銀ランプで光出力強度を制御するのは極めて困難な状況である。したがって、ランプの光出力強度自体は変化させなくても、光変調手段への入射光量を映像信号に応じて変化させることのできる方法が求められている。
さらに上記の問題点に加えて、現行の投射型表示装置では光源の明るさが固定されているため、例えば暗めの鑑賞環境においては画面が明るくなりすぎたり、また、投射距離や投射レンズのズーミングにより投射スクリーンサイズを変化させた際に、それに応じて画面の明るさが変化してしまうという問題点もあった。
【０００７】
このような課題を解決するために、近年、投射型表示装置用の照明装置として、上述のメタルハライドランプや高圧水銀ランプ等の光源に調光用のルーバ（平板状の遮光板）を組み合わせた構造のものが提案されている。具体的には、光源から射出された光の光軸上に遮光板を配置し、これをその主面に平行な回動軸の回りに回動させることで光源光を一部遮光する。この種の照明装置に関する発明は、本出願人も既に多数出願している。
【０００８】
この構成によれば、光源とは別体に設けられた遮光板によって、光源から射出された光の光量調整を高速且つ任意に行なうことができる。このため、照明光を例えば映像信号に基づいて調節することで、光源の光出力強度が一定のままでも被照明領域（光変調装置）において映像に応じた明るさの光を得ることができ、投射型表示装置のダイナミックレンジの拡張に寄与することができる。同様に、投射拡大率，使用環境下における明るさの状況、若しくは、使用者の好み等に応じた明るさの光を得ることができる。
しかも、このような遮光板の形状を変えることにより遮光位置を自由に選択できるため、例えば光源から射出された光を外側から優先的に遮光できるような形状とすることで、コントラストの向上を図ることもできる。
【０００９】
しかし、遮光板の形状を変えると、これによって最大遮光量も決まってしまうため、調光範囲（即ち、調光の自由度）を十分に確保できなくなる虞がある。このことを具体例を用いて説明する。図９は、液晶ライトバルブに対して大きな角度で入射されることとなるフライアイレンズ周縁部の光を優先的に遮光すべく、遮光板を平面視コ字型の形状とした例を示しており、（ａ），（ｂ），（ｃ）はそれぞれ遮光板の回動角度が０°，６０°，９０°の状態を示している。
【００１０】
この例では、光源光の照度分布をライトバルブ上で均一化させるための手段として、光源（図示略）側から第１のフライアイレンズ１００１、第２のフライアイレンズ１００２が順次設置されており、これらのレンズ１００１，１００２の間に、光源光の光量を調節するための一対の遮光板１０００，１０００が設置されている。遮光板１０００は平面視コ字型の形状を有し、その主面に平行な方向に延在する回動軸１０００ｃを中心として回動可能に構成されている。また、各遮光板１０００はその凹部１０００ａが光軸Ｙを挟んで対向するように配置されており、一方が時計回りの方向、他方が反時計回りの方向に回動されるようになっている。
【００１１】
これらの遮光板１０００は、図９（ａ）に示すように、調光の行なわれない初期状態において光軸Ｙと平行に配置されている。また、この初期状態において各遮光板１０００は第１のフライアイレンズ１００１から射出される光の光路外に配置されており、遮光量が略ゼロとなるように構成されている。一方、調光を行なう場合（調光状態）には、図９（ｂ），図９（ｃ）に示すように、各遮光板１０００は回動軸１０００ｃを中心として０°〜９０°の範囲内で一斉に回動される。このような構成では、各遮光板の光軸Ｙに垂直な面への射影像は、一方がコ字型、もう一方が逆コ字型の形状となるため、光源から射出された光を、その外周部を取り囲むような形で全方向から遮光することができる。
【００１２】
しかしながら、上記構成では遮光板１０００をコ字型の形状としたため、その凹部１０００ａが位置する光軸近傍の光を遮光することはできない。このため、最大遮光量はこの凹部１０００ａの大きさによって一義的に決まってしまう。換言すると、遮光位置の選択の自由度と調光の自由度とはトレードオフの関係にあり、これらを独立に設定することはできない。
本発明は、上記課題に鑑み創案されたものであり、調光範囲及び遮光位置を独立に設定可能な照明装置を提供することを目的とする。
【００１３】
【課題を解決するための手段】
上記の目的を達成するために、本発明の照明装置は、投射型表示装置の光変調手段を照明するために用いられる照明装置であって、光源と、上記光源からの射出光の一部を遮光することにより上記射出光の光量を調節する調光手段とを備え、上記調光手段は、上記射出光の光軸に対して略垂直な方向に延在する回動軸を中心として回動可能に構成されたブロック状の遮光体からなることを特徴とする。
【００１４】
本構成では、遮光体を立体形状（３次元的な形状）としたため、これを回転させたときの射影形状のバリエーションを、平板形状のもの（例えば従来のルーバ）を回転させる場合に比べて格段に増やすことができる。つまり、前述した平板状の遮光板ではその平面形状のみが遮光に寄与し、側面形状（即ち、厚み方向の形状）は遮光に殆ど寄与しない。このため、最大遮光量は遮光板の平面形状のみで決まってしまう。これに対して立体形状を有するブロック状の遮光体では、その平面形状のみならず側面形状も遮光に寄与するため、この側面形状によっては最大遮光量を１００％とすることも可能となる。
【００１５】
例えば先の例に示したように、光源からの射出光の光量をこの射出光の光軸から離れた領域から優先的に遮光する場合について考える。本構成において、これを実現するための具体的な形態としては、上記遮光体が上記光軸を囲む位置に複数配置されたものを用いることができる。特に、遮光体が湾曲形状を有し、回動状態においてそれぞれの湾曲部が光軸を挟んで対抗するように配置されたものでは、光軸を取り囲むように全方向から遮光が行なわれることとなり、映像のコントラストが一層高まる。
【００１６】
この構成において遮光体を回動させると、回動量が一定の範囲内では、各遮光体の光軸に垂直な面への射影像は、その湾曲形状（平面形状）を反映して、一方がコ字型、他方が逆コ字型となる。しかし、この状態から遮光体を更に回動させると、各射影像は遮光体の側面形状を反映した形状となる。したがって、この側面形状を、光源光を完全に遮光する形状とすることで、照明光量を０％〜１００％まで変化させることができる。
【００１７】
また、この構成では、遮光体の平面形状が反映される回動状態において、光源から射出された光束は、その外周部から光軸側に向けて順に遮られる形で全方向から遮光される。すなわち、この構成では、光変調手段に対して大きな角度で入射されることとなる、光軸から離れた領域の光から優先的に遮光されるため、遮光量が大きくなるほど映像のコントラストは高くなる。このため、暗い映像でも階調再現性がよくなり、微妙な階調変化を表現できるようになる。
【００１８】
なお、上記構成では、光軸に対して遮光が非対称に行なわれても勿論よいが、各遮光体の形状や配置等を光軸に対して対称にすることで、遮光が光軸に対して線対称又は軸対称に行なわれるようにしてもよい。この場合、照明光の照度分布は被照明領域の中心線を通る軸に対して線対称又は軸対称となるため、映像の見栄えがよくなる。
【００１９】
ところで、このような照明装置を投射型表示装置に適用する場合には、光源の持つ照度分布を被照明領域において均一化することが望ましい。この均一照明手段としては、例えば上記光源から射出された光を複数の光束に分割する第１のフライアイレンズと、これらの光束を被照明領域において重畳する第２のフライアイレンズ（これら第１，第２のフライアイレンズが本発明の一対のフライアイレンズを構成する）とを光源側から順に配置したものを好適に用いることができる。この場合、上記調光手段は第１のフライアイレンズと第２のフライアイレンズとの間、若しくは、第２のフライアイレンズの射出側に配置することができる。
【００２０】
この構成では、照明光量を滑らかに変化させるために、調光状態において部分的に遮光された光束が複数存在した場合に、これらの部分的に遮光された全ての光束の中心部が調光手段によって同時に遮光されないようにすることが望ましい。つまり、各部分光束では、その照度は中心部が外側よりも大きくなっているため、光束の中心部が遮光されるとその光束の光量は大きく低下する。このような光量低下が全ての光束について同時に起こると、これらが増幅されて照明光量に階段状の大きな変化が生じる。これに対して、部分的に遮光された複数の光束の中心部をそれぞれ別々のタイミングで遮光する、或いは、いくつかずつ別々のタイミングで遮光する場合には、光量変化は全体として平均化されるため、照明光量を滑らかに変化させることができる。具体的には、遮光体の形状を曲面を含む形状とし、一列に並んだ複数のマイクロレンズの中心部が遮光体の射影像の輪郭部分によって全て同時に遮光されないようにすることで、上記効果が得られる。
【００２１】
なお、上述の遮光体は光の透過率が全体的に均一なもの（例えば、非透光性部材、或いは、均一な透過率分布を有する半透明な部材）であってもよい。この場合、製造の容易さ等の利点がある。しかし、本発明はこれに限られず、例えば調光手段は部分的に光の透過率が異なる領域を有していてもよい。具体的には、遮光体に半透過特性をもった樹脂を用いる、或いは、遮光体を、表面に金属薄膜を形成したガラスとし、その膜厚に分布を持たせることで、上記構造を実現できる。このようにして、遮光体内に部分的に光の透過率が異なる領域を設けた場合、フライアイレンズが作り出す複数の２次光源像のそれぞれに対してランダムな分布で遮光が行なわれるので、それらが重畳されたものはこれらの分布が交じり合うことにより照度分布が均一化され、被照明領域における照度の均一性を高めることができる。
【００２２】
また、本発明の投射型表示装置は、上述の照明装置と、上記照明装置から射出される光を変調して映像光を形成する光変調手段と、上記映像光を投射する投射手段とを備えたことを特徴とする。この構成によれば、光源の光出力強度が一定のままでも被照明領域において所望の明るさの光が得られる照明装置を備えているため、投射型表示装置のダイナミックレンジを拡張することができ、映像表現力や使用環境への順応性に優れた投射型表示装置を実現することができる。
【００２３】
また、上記投射型表示装置の駆動手段としては、映像を構成する単位時間当たりの映像信号に基づいて上記調光手段を制御する制御信号を決定する制御信号決定手段と、上記制御信号に基づいて上記調光手段を制御する調光制御手段と、上記映像信号を上記制御信号に基づいて伸長する映像信号伸長手段とを備えることが望ましい。この構成によれば、まず制御信号決定手段において映像を構成する単位時間当たりの映像信号に基づいて調光手段を制御するための制御信号が決定され、調光制御手段がこの制御信号に基づいて調光手段を制御することにより映像に応じて明るさが変化する光を光変調手段に供給する一方、映像信号伸長手段が制御信号に基づいて映像信号を伸長する。この動作によって、投射型表示装置のダイナミックレンジを拡張することができ、映像表現力に優れた投射型表示装置を実現することができる。
【００２４】
本発明の投射型表示装置の駆動方法は、上述の投射型表示装置の駆動方法であって、映像を構成する１フレームあたりの映像信号に基づいて上記調光手段を制御する制御信号を決定し、上記制御信号に基づいて上記調光手段を制御することにより上記光変調手段を照明する光の光量を調節するとともに、上記映像信号を上記制御信号に基づいて伸張し、この伸張した映像信号を上記光変調手段に供給することによって映像を生成することを特徴とする。
この構成によれば、投射型表示装置のダイナミックレンジを拡張することができ、映像表現力が高い映像を得ることができる。
【００２５】
【発明の実施の形態】
まず、図４〜図８を参照しながら、本発明の一実施形態に係る投射型表示装置について説明する。
本実施形態の投射型表示装置は、Ｒ（赤）、Ｇ（緑）、Ｂ（青）の異なる色毎に透過型液晶ライトバルブを備えた３板式の投射型カラー液晶表示装置である。図４はこの投射型表示装置を示す概略構成図であって、図中、符号１は照明装置、１０は光源、２１，２２はフライアイレンズ（均一照明手段）、３２は遮光体（調光手段３０）、４１，４２はダイクロイックミラー、４３，４４，４５は反射ミラー、５１，５２，５３は液晶ライトバルブ（光変調手段）、６０はクロスダイクロイックプリズム、７０は投射レンズ（投射手段）を示している。
【００２６】
本実施形態における照明装置１は、光源１０とフライアイレンズ２１，２２と複数の遮光体３２とから構成されている。光源１０は高圧水銀ランプ等のランプ１１とランプ１１の光を反射するリフレクタ１２とから構成されている。また、光源光の照度分布を被照明領域である液晶ライトバルブ５１，５２，５３において均一化させるための均一照明手段として、光源１０側から第１のフライアイレンズ２１、第２のフライアイレンズ２２が順次設置されている。ここで、第１のフライアイレンズ２１は光源１０から射出された光を複数の光束Ｒに分割し、第２のフライアイレンズ２２はライトバルブ位置においてそれらを重畳する重畳レンズとしての機能を有する。場合によっては２次光源像を重畳するためのコンデンサーレンズを第２のフライアイレンズ２２の位置、もしくはその後段に配しても良い。以下では重畳レンズとして第２のフライアイレンズが用いられた場合について説明を行なう。
【００２７】
本実施形態の場合、光源１０から射出された光の光量を調節する調光素子（調光手段）として、複数の遮光体３２が第１のフライアイレンズ２１と第２のフライアイレンズ２２との間に回動可能に設置されている。なお、照明装置１の構成については後で詳しく説明する。
【００２８】
照明装置１の後段の構成を以下、各構成要素の作用とともに説明する。
青色光・緑色光反射のダイクロイックミラー４１は、光源１０からの光束のうちの赤色光ＬＲを透過させるとともに、青色光ＬＢと緑色光ＬＧとを反射させるものである。ダイクロイックミラー４１を透過した赤色光ＬＲは反射ミラー４５で反射されて赤色光用液晶ライトバルブ５１に入射される。一方、ダイクロイックミラー４１で反射した色光のうち、緑色光ＬＧは緑色光反射用のダイクロイックミラー４２によって反射され、緑色光用液晶ライトバルブ５２に入射される。一方、青色光ＬＢはダイクロイックミラー４２も透過し、リレーレンズ４６、反射ミラー４３、リレーレンズ４７、反射ミラー４４、リレーレンズ４８からなるリレー系４９を経て青色光用液晶ライトバルブ５３に入射される。
【００２９】
各液晶ライトバルブ５１，５２，５３によって変調された３つの色光は、クロスダイクロイックプリズム６０に入射される。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されてカラー画像を表す光が形成される。合成された光は投射光学系である投射レンズ７０によりスクリーン７１上に投射され、拡大された画像が表示される。
【００３０】
次に、本実施形態の投射型表示装置の駆動方法について説明する。
図５は本実施形態の投射型表示装置の駆動回路の構成を示すブロック図である。調光機能を持たない従来の投射型表示装置の場合、入力された映像信号は適当な補正処理を経て、そのまま液晶パネルドライバに供給されるが、調光機能を有し、かつそれを映像信号に基づいて制御する本実施形態の場合、基本的な構成として、以下に説明するようにデジタル信号処理ブロックであるＤＳＰ（１）〜ＤＳＰ（３）などの回路が必要となる。
【００３１】
本実施形態では、図５に示すように、アナログ信号として入力された映像信号がＡＤコンバータ８１を経て第１のデジタル信号処理回路であるＤＳＰ（１）８２（制御信号決定手段）に入力される。ＤＳＰ（１）８２では、映像信号から明るさ制御信号が決定される。ＤＳＰ（２）８３（調光制御手段）では、明るさ制御信号に基づいて調光素子ドライバ８４を制御し、最終的には調光素子ドライバ８４が調光素子３０（本実施形態の場合は遮光体３２）を実際に駆動する。
【００３２】
一方、ＤＳＰ（１）８２で決定された明るさ制御信号は、映像信号とともにＤＳＰ（３）８６（映像信号伸長手段）にも入力される。ＤＳＰ（３）８６では明るさ制御信号に基づいて映像信号を適当な階調範囲に伸長する。伸長処理後の映像信号はＤＡコンバータ８７により再びアナログ信号に変換された後、パネルドライバ８８に入力され、パネルドライバ８８から赤色光用液晶ライトバルブ５１（図５中のＲパネル）、緑色光用液晶ライトバルブ５２（同、Ｇパネル）、青色光用液晶ライトバルブ５３（同、Ｂパネル）のそれぞれに供給される。
【００３３】
ここで、照明装置１の制御方法に関しては、［１］表示映像適応型の制御、の他に、［２］投射拡大率による制御、［３］外部からの制御、などが考えられる。以下にそれぞれの方法について説明する。
［１］表示映像適応型の制御
まず、表示映像適応型の制御、すなわち明るい映像シーンでは光量が多くなり、暗いシーンでは光量が少なくなるような表示映像に適応した明るさ制御を行なう場合について考える。この場合、上記で説明したように、ＤＳＰ（１）８２で映像信号に基づいて明るさ制御信号が決定されるが、その方法には例えば次の３通りが考えられる。
【００３４】
（ａ）注目しているフレームに含まれている画素データのうち、明るさが最大の階調数を明るさ制御信号とする方法。
例えば０〜２５５の２５６ステップの階調数を含む映像信号を想定する。連続した映像を構成する任意の１フレームに着目した場合、そのフレームに含まれる画素データの階調数毎の出現数分布（ヒストグラム）が、図６（ａ）のようになったとする。この図の場合、ヒストグラムに含まれる最も明るい階調数が１９０であるので、この階調数１９０を明るさ制御信号とする。この方法は、入力される映像信号に対し、最も忠実に明るさを表現できる方法である。
【００３５】
（ｂ）注目しているフレームに含まれている階調数毎の出現数分布（ヒストグラム）より、最大の明るさから出現数について一定の割合（例えば１０％）となる階調数を明るさ制御信号とする方法。
例えば映像信号の出現数分布が図７のようであった場合、ヒストグラムより明るい側から１０％の領域をとる。１０％に相当するところの階調数が２３０であったとすると、この階調数２３０を明るさ制御信号とする。図７に示したヒストグラムのように、階調数２５５の近傍に突発的なピークがあった場合、上記（ａ）の方法を採用すれば、階調数２５５が明るさ制御信号となる。しかしながら、この突発的なピーク部分は画面全体における情報としてはあまり意味をなしていない。これに対して、階調数２３０を明るさ制御信号とする本方法は、画面全体の中で情報として意味を持つ領域によって判定する方法と言うことができる。なお、上記の割合は２〜５０％程度の範囲で変化させてもよい。
【００３６】
（ｃ）画面を複数のブロックに分割して、ブロック毎、含まれている画素の階調数の平均値を求め、最大のものを明るさ制御信号とする方法。
例えば図８に示すように、画面をｍ×ｎ個のブロックに分割し、それぞれのブロックＡ１１，…，Ａｍｎ毎の明るさ（階調数）の平均値を算出し、そのうちで最大のものを明るさ制御信号とする。なお、画面の分割数は６〜２００程度とすることが望ましい。この方法は、画面全体の雰囲気を損なうことなく、明るさを制御できる方法である。
上記（ａ）〜（ｃ）の方法について、明るさ制御信号の判定を、表示領域全体に対して行なう他に、例えば表示領域の中央部分など、特定の部分だけに上記方法を適用することもできる。この場合、視聴者が注目している部分から明るさを決定するような制御の仕方が可能となる。
【００３７】
次にＤＳＰ（２）８３において、上記の方法で決定した明るさ制御信号に基づいて調光素子ドライバ８４を制御するが、この方法にも例えば次の３通りが考えられる。
【００３８】
（ａ）出力された明るさ制御信号に応じてリアルタイムで制御する方法。
この場合はＤＳＰ（１）８２から出力された明るさ制御信号をそのまま調光素子ドライバ８４に供給すればよいため、ＤＳＰ（２）８３での信号処理は不要となる。この方法は映像の明るさに完全に追従する点で理想的ではあるが、映像の内容により画面の明暗が短い周期で変化することもあり、鑑賞時に余計なストレスを感じるなどの問題が発生する恐れがある。
【００３９】
（ｂ）出力された明るさ制御信号にＬＰＦ（ローパスフィルター）をかけ、その出力で制御する方法。
例えばＬＰＦによって１〜３０秒以下の明るさ制御信号の変化分をカットし、その出力によって制御する。この方法によれば、細かい時間の変化分はカットされるため、上記のような短い周期での明暗の変化を避けることができる。
【００４０】
（ｃ）明るさ制御信号の切り替わりエッジを検出する方法。
明るさ制御信号に所定の大きさ以上（例えば６０階調以上）の変化があった場合にのみ調光素子３０を制御する。この方法によれば、シーンの切り替わりなどのみに応じた制御を行なうことができる。
【００４１】
このようにして、例えば階調数１９０が明るさ制御信号に決定された場合、最大明るさ（階調数２５５）の光量を１００％とすると、１９０／２５５＝７５％の光量が得られるように調光素子３０を駆動する。本実施形態の場合、調光素子３０は具体的には遮光板３１，３２であるから、透過率が７５％（遮光率が２５％）となるように遮光板３１，３２を回動させる。同様に、階調数２３０が明るさ制御信号である場合、２３０／２５５＝９０％の光量が得られるように調光素子３０を駆動する。
【００４２】
一方、ＤＳＰ（３）８６では、ＤＳＰ（１）８２で決定された明るさ制御信号と映像信号に基づいて映像信号を適当な階調範囲まで伸長する。例えば最大階調範囲にまで伸長する場合、上記の例では表示可能な最大階調数が２５５であるから、図６（ａ）の例で明るさ制御信号が階調数１９０の場合、階調数０〜１９０までの映像信号を図６（ｂ）に示すように階調数０〜２５５まで伸長する。このような照明光量の制御と映像信号の伸長処理によって、映像のダイナミックレンジを拡張しつつ、滑らかな階調表現を実現することができる。
【００４３】
［２］投射拡大率による制御
投射レンズ７０のズーミングに対応させて制御する。通常は液晶ライトバルブ（被照明領域）における単位面積あたりの光量が一定であるから、拡大側では画面が暗くなり、縮小側で明るくなる傾向にある。したがって、これを補正するように、拡大側に変化させた場合には光量が増えるように、縮小側に変化させた場合には光量が減るように調光素子３０を制御する。
【００４４】
［３］外部からの制御
使用者が好みに応じて調光素子３０を制御できるようにする。例えば暗い鑑賞環境においては光量が少なく、明るい鑑賞環境においては光量が多くなるように調光素子３０を制御する。この場合、使用者がコントローラを用いて、もしくは調光素子を直接操作するなどして調節する構成としてもよいし、明るさセンサなどを設けて自動的に制御される構成としてもよい。ただし、これら［２］、［３］の制御を行なうためには、図５でＤＳＰ（１）８２〜ＤＳＰ（３）８６のような回路は不要であるが、それ以外の回路構成が必要になる。
【００４５】
次に、図１〜図３を参照しながら、本実施形態の照明装置について説明する。
本実施形態では、均一照明手段を構成する２枚のフライアイレンズの間に遮光板を装入した照明装置の例を示す。図１は本遮光体の概略構成を示す図であり、（ａ），（ｂ），（ｃ）はそれぞれその上面視図，Ｃ−Ｃ′矢視図，Ｄ−Ｄ′矢視図である。また、図２は本照明装置の概略構成を示す側面図、及び遮光体を第２フライアイレンズと共に光軸方向から見た状態を示す正面図であり、（ａ），（ｂ），（ｃ）はそれぞれ減光率０％，３０％，６０％の状態を示している。
【００４６】
図２に示すように、本実施形態の照明装置１では、光源から射出された光の照度分布を被照明領域である液晶ライトバルブにおいて均一化させるための均一照明手段として、光源側から第１のフライアイレンズ２１、第２のフライアイレンズ２２が順次設置されている。各フライアイレンズ２１，２２は、Ｘ方向，Ｚ方向に配列された複数（本実施形態では例えば６×６個）のマイクロレンズ２３，２４から構成されている。
【００４７】
第１のフライアイレンズ２１と第２のフライアイレンズ２２との間には、光源１０から射出された光の光量を調節する調光手段として、３次元的な形状を有する一対の遮光体３２が設置されている。
【００４８】
この遮光体３２は、不均一な厚みの板状部材を折り曲げたような構造を有し、その一方の正面形状（以下、平面形状という）は、図１（ｃ）のように、コ字型に大きく湾曲した形状である。また、これと直交する方向から見た正面形状（以下、側面形状という）は、図１（ｂ）のように、略矩形の形状ではあるが、その側部に一部切り欠いたような窪みｇが設けられている。これらの遮光体３２は、図１（ｃ）に示した湾曲部が光軸Ｙを挟んで互いに向き合うように（即ち、折り曲げられた端部同士が互いに向き合うように）配置されており、光軸Ｙに略垂直な回動軸３２ｃを中心として、一方が時計回りの方向、他方が反時計回りの方向に回動可能に構成されている。また、これらの遮光体３２はその形状や回動半径等を互いに等しく構成されており、各遮光体の回動軸３２ｃは、光軸Ｙに対して互いに線対称となる位置に配置されている。
【００４９】
これらの遮光体３２は、図２（ａ）に示すように、調光の行なわれない初期状態において、第１のフライアイレンズ２１から射出される光の光路外に配置されており、遮光量が略ゼロとなるように構成されている。一方、調光を行なう場合（調光状態）には、図２（ｂ），図２（ｃ）に示すように、各遮光体３２は回動軸３２ｃを中心として０°〜１８０°の範囲内で等しく回動される。本実施形態では遮光体３２が立体的な形状を有するため、遮光体３２を回動させていくと、遮光体３２を光軸Ｙに垂直な平面に射影した像の形状は、遮光体３２の平面形状を反映したものから遮光体３２の側面形状を反映したものに遷移していく。
【００５０】
例えば遮光体３２の回動量が０°〜９０°の範囲内では、上記射影像の形状は、図１（ｃ）に示した平面形状を反映した形状となり、光源１０から射出された光束は、その外周部から光軸Ｙ側に向けて順に遮られる形で全方向から遮光される。一方、遮光体３２の回動量が９０°を超えると、上記射影像の形状は、図１（ｂ）に示した側面形状を反映した形状となり、上記光源１０から射出された光束はその外周部を更に遮られる形で遮光され、遮光量は徐々に増大していく。しかし、本遮光体３２では側面形状に窪みｇが設けられているため、１８０°まで回動させても遮光量はゼロとはならず、図２（ｃ）に示すように、光軸Ｙ近傍に上記窪みｇを反映した光透過領域Ｇが残る。
【００５１】
このように本実施形態では、立体状の部材を回動させているため、前述した平板状の遮光板を回動させる場合に比べて、調光範囲を拡げることができる。つまり、平板状の遮光板ではその平面形状のみが遮光に寄与し、側面形状（厚み方向の形状）は遮光に殆ど寄与しない。このため、最大遮光量は遮光板の平面形状によって決まってしまう。これに対して立体形状を有する遮光体では、その平面形状のみならず側面形状も遮光に寄与するため、この側面形状によっては上記平面形状で決まる遮光量よりも大きな遮光量が得られる。本実施形態の例でいえば、遮光体３２の側面形状を矩形形状とする（即ち、窪みｇを設けない）ことで、最大遮光量を１００％とすることも可能である。逆に、窪みｇの大きさを適当に調節することで、調光の許容される範囲を任意に設定することも可能である。
【００５２】
また、本実施形態では、液晶ライトバルブに対して大きな角度で入射されることとなる、光軸Ｙから離れた領域の光から優先的に遮光が行なわれるため、図３に示すように、遮光量が大きくなるほど映像のコントラストは高くなる。このため、暗い映像でも階調再現性がよくなり、微妙な階調変化を表現することができる。特に本実施形態では、このような遮光が光軸Ｙを取り囲むような形で全方向から行なわれるため、映像のコントラストは最も高くなる。
【００５３】
また、本実施形態では調光を光軸Ｙに対して線対称に行なっているため、被照明領域であるライトバルブ上での照度の偏りの少ない均一な照明を実現できる。つまり、調光手段を用いて光源光を遮光する場合、むやみに調光を行なうと照度分布の均一化の作用が阻害されてしまう。例えば、光軸Ｙに対して片側から調光すると、被照明領域の片側のみが明るく、残りの片側が暗いというように照度分布が偏りを持つ場合がある。これに対して、上述のように光軸Ｙに対して線対称に調光を行なうと、第１のフライアイレンズ２１で形成される１つ１つの光束Ｒについては、遮光により明るさの偏りが生じるが、第２のフライアイレンズ２２によってそれらを重畳した照度分布は、被照明領域の中心を通る軸に対して線対称な分布となり、光軸Ｙに対して非対称な調光を行なった場合に比べて、投射映像の見栄えをよくすることができる。
【００５４】
特に、図４に示したような青色に対応する画像のみ，画像の上下方向若しくは左右方向が他の２色の画像と逆転することになる投射型表示装置に本実施形態の照明装置１を用いた場合、スクリーン７１の両側で色バランスが均一な画像を再現することができる。
【００５５】
また、本実施形態では、遮光体３２の射影像は曲線を含むような形状となっているため、調光時の照明光量の変化を滑らかにすることができる。つまり、均一照明手段としてフライアイレンズ２１，２２を用いた構成では、マイクロレンズ２３から射出された部分光束Ｒは対応するマイクロレンズ２４の中心部で像を結ぶため、回動により遮光板の縁部が正面視でレンズ２４の中心部を通ると、光束Ｒの透過光量は大きく低下する。このとき、仮に遮光板３１の形状が矩形で、その縁部がマイクロレンズの横の配列方向（Ｚ方向）に平行であったとすると、Ｚ方向に配列した６つのマイクロレンズ２４の中心部は遮光板によって全て同時に遮光されるため、その光量変化は一段と大きくなる。したがって、光量を連続的に変化させたいときにも画面の明るさ変化が不連続になることがあり、視聴者が映像を鑑賞する際、不自然さを感じることがある。
【００５６】
これに対して、本実施形態では遮光体３２の形状がマイクロレンズ２４の横の配列方向に対して凹凸状の曲線部又は斜めに交差する斜辺部を有しているため、一列に並んだ６つのマイクロレンズ２４の中心部が全て同時に遮光されることはない。換言すると、本実施形態では、遮光体の回動によって部分的に遮光された複数の部分光束Ｒの中心部がそれぞれ別々のタイミングで遮光される、或いは、いくつかずつ別々のタイミングで遮光されるため、光量変化を全体として平均化することができ、照明光量に不連続的な変化が生じることを防止できる。
【００５７】
なお、本発明の技術範囲は上記実施の形態に限定されるものではなく、本発明の趣旨を逸脱しない範囲において種々の変更を加えることが可能である。
例えば、上記実施形態では遮光体３２を光軸を挟む位置に２つ配置したが、このような遮光体は１つでも構わない。逆に、遮光体を、光軸を囲む位置に３つ或いは４つ以上配置することも可能である。この場合、各遮光体の形状及び配置を光軸Ｙを中心として軸対称とすることが好ましい。これにより、被照明領域における光の照度分布がその中心軸に対して軸対称となり、映像の見栄えが一層よくなる。
【００５８】
また、上記実施形態では遮光体を半透明の部材によって構成してもよく、これにより、調光特性を一層滑らかにすることができる。具体的には、遮光体に半透過特性をもった樹脂を用いる、或いは、遮光体を、表面に金属薄膜を形成したガラスとし、その膜厚に分布を持たせることで、上記構造を実現できる。このようにして遮光体に部分的に光の透過率が異なる領域を設けた場合、フライアイレンズが作り出す複数の２次光源像のそれぞれに対してランダムな分布で遮光が行なわれるので、それらが重畳されたものはこれらの分布が交じり合うことにより照度分布が均一化され、被照明領域における照度の均一性が高まる。
勿論、遮光体は、光の透過率が全体的に均一なもの（例えば、均一な透過率分布を有する半透明な部材）であってもよい。この場合、製造の容易さ等の利点がある。
【００５９】
また、上記各実施形態では遮光体３２を第１のフライアイレンズと第２のフライアイレンズとの間に配置したが、この遮光体は第２のフライアイレンズの射出側に配置してもよい。この場合にも、遮光体によって、第２のフライアイレンズ２２から射出された複数の部分光束のうち光軸Ｙから離れた光束から優先的に遮光されるようにすることが望ましい。
【００６０】
また、上記実施形態では、投射型表示装置として透過型の液晶装置を光変調手段として用いたものを例示した。しかし、本発明の技術範囲はこのような透過型のものに限定されず、例えばＬＣＯＳ等の反射型の投射型表示装置、或いは、ＭＥＭＳ技術に基づくミラー方式の空間光変調器を用いた投射型表示装置に対して本発明を適用することも可能である。
【図面の簡単な説明】
【図１】本発明の第１実施形態の照明装置に備えられた調光素子の概略構成を示す図。
【図２】同、調光素子の概略構成を示す平面図、及びこの調光素子を光軸方向から見た正面図。
【図３】同、投射型表示装置の減光量とコントラストとの関係を示す図。
【図４】本発明の第１実施形態の投射型表示装置の概略構成を示す図。
【図５】同、投射型表示装置の制御装置の構成を示すブロック図。
【図６】同、投射型表示装置において、映像信号から調光制御信号を決定する第１の方法を説明するための図。
【図７】同、第２の方法を説明するための図。
【図８】同、第３の方法を説明するための図。
【図９】従来の照明装置に備えられた調光素子の概略構成を示す図。
【符号の説明】
１…照明装置、１０…光源、２１，２２…フライアイレンズ、２３，２４…マイクロレンズ、３２…遮光体、３２ｃ…回動軸、５１，５２，５３…液晶ライトバルブ（光変調手段）、７０…投射レンズ（投射手段）、８２…ＤＳＰ（１）（制御信号決定手段）、８３…ＤＳＰ（２）（調光制御手段）、８６…ＤＳＰ（３）（映像信号伸長手段）、Ｒ・・・部分光束、Ｙ…光軸
【図１】
2005017501.tif 000003
【図２】
2005017501.tif 000004
【図３】
2005017501.tif 000005
【図４】
2005017501.tif 000006
【図５】
2005017501.tif 000007
【図６】
2005017501.tif 000008
【図７】
2005017501.tif 000009
【図８】
2005017501.tif 000010
【図９】
2005017501.tif 000011